(57)【特許請求の範囲】
【請求項１】
選択されたインタラクティビティレベルを有するユーザ好みデータとユーザ識別子を関連付けるメモリと、前記ユーザ識別子と関連された前記ユーザ好みデータを前記メモリから取り出し、制御可能な照明ネットワークへの送信のためどのユーザ好みデータを前記選択されたインタラクティビティレベルが承認するかをチェックし、前記選択されたインタラクティビティレベルにより、前記制御可能な照明ネットワークへの送信のため承認された前記ユーザ好みデータを示す信号を生成するプロセッサとを有し、
前記選択されたインタラクティビティレベルは、前記ユーザ識別子及び前記ユーザ好みデータへの承認されるアクセスのレベルを特定する、システム。
【請求項２】
前記ユーザ識別子及び前記ユーザ好みデータへの前記制御可能な照明ネットワークのアクセスを否定するオフレベルと、前記ユーザ識別子への前記制御可能な照明ネットワークのアクセスを認め、前記ユーザ好みデータへの前記制御可能な照明ネットワークのアクセスを否定し、前記制御可能な照明ネットワークがユーザの存在に基づいて照明を制御しないことを示す無視レベルと、前記ユーザ識別子及び前記ユーザ好みデータ両方への前記制御可能な照明ネットワークのアクセスを認め、前記制御可能な照明ネットワークがユーザと関連した前記ユーザ好みデータに基づいてユーザの付近の照明を制御すべきであることを示すパーソナルレベルと、前記ユーザ識別子及び前記ユーザ好みデータ両方への前記制御可能な照明ネットワークのアクセスを認め、前記制御可能な照明ネットワークがユーザと関連した前記ユーザ好みデータに基づいて前記制御可能な照明ネットワークと関連した領域内の照明を制御すべきであることを示す報知レベルと、前記ユーザ識別子及び前記ユーザ好みデータ両方への前記制御可能な照明ネットワークのアクセスを認め、ユーザが前記制御可能な照明ネットワークと関連した領域内の照明を制御してもよいことを示し、ユーザが一つ以上のユーザ好みデータを変えることを付加的に示す調整レベルとから成るグループから、前記選択されたインタラクティビティレベルが選択される、請求項１に記載のシステム。
【請求項３】
ユーザと関連した前記ユーザ識別子を決定し、ユーザと関連した前記インタラクティビティレベルを決定し、前記ユーザ識別子を示す信号を送信し、前記インタラクティビティレベルを示す信号を送信する識別システムを更に有し、前記プロセッサは、前記ユーザ識別子を示す信号を受信し、前記ユーザ識別子を示す信号から前記ユーザ識別子を取り出し、前記インタラクティビティレベルを示す信号を受信し、前記インタラクティビティレベルを示す信号から前記インタラクティビティレベルを取り出し、前記メモリ内の前記ユーザ識別子と関連した前記インタラクティビティレベルを更新する、請求項１に記載のシステム。
【請求項４】
前記識別システムは、ユーザの固有の特徴を認識する技術を利用し、前記固有の特徴と関連したユーザ識別子について第２のメモリをチェックすることにより、ユーザと関連した前記ユーザ識別子を決定する、請求項３に記載のシステム。
【請求項５】
ユーザと関連したユーザ位置データを決定し、前記ユーザ位置データを示す信号を送信する位置決めシステムを更に有し、前記プロセッサは、前記ユーザ位置データを示す信号を受信し、前記ユーザ位置データを示す信号から前記ユーザ位置データを取り出し、選択されたインタラクティビティレベルが、前記制御可能な照明ネットワークへの送信のため前記ユーザ位置データを承認するかどうかをチェックし、前記選択されたインタラクティビティレベルにより承認される場合、前記ユーザ位置データを示す信号を生成する、請求項１に記載のシステム。
【請求項６】
前記位置決めシステムは、更に、方向センサの技術と、ユーザの瞳を追跡する技術とを利用することにより、ユーザと関連した注視方向を決定し、前記注視方向を示す信号を送信し、前記プロセッサは、前記注視方向を示す信号を受信し、前記注視方向を示す信号から前記注視方向を取り出し、前記選択されたインタラクティビティレベルが前記注視方向についての送信を承認するかどうかをチェックし、前記選択されたインタラクティビティレベルにより承認される場合、前記注視方向を示す信号を生成する、請求項５に記載のシステム。
【請求項７】
前記位置決めシステムが、三角測量、加速度計技術、ＧＰＳ技術又は先進ＧＰＳ技術を有する技術を使用して、前記ユーザ位置データを決定する、請求項５に記載のシステム。
【請求項８】
前記位置決めシステムと通信するためユーザ付近の個人移動電子通信装置を更に有し、前記位置決めシステムは、前記個人移動電子通信装置と関連した位置関連データを決定し、前記位置決めシステムは、前記個人移動電子通信装置と関連した前記位置関連データに基づいて、ユーザと関連した前記ユーザ位置データを決定する、請求項５に記載のシステム。
【請求項９】
前記個人移動電子通信装置は前記位置決めシステムを有し、前記位置決めシステムが、一つ以上のＷｉ−Ｆｉアクセスポイントを定期的にポーリングし、前記一つ以上のＷｉ−Ｆｉアクセスポイントに対応する一つ以上の識別子を示す第１のデータを受信し、前記一つ以上の識別子を一つ以上の信号強度に関連付ける第２のデータを受信することを有する技術を利用することにより、前記ユーザ位置データを決定する、請求項８に記載のシステム。
【請求項１０】
前記制御可能な照明ネットワークを検出する存在検出システムを更に有し、前記存在検出システムが前記制御可能な照明ネットワークを検出すると、照明制御アプリケーションが前記個人移動電子通信装置上で起動され、前記照明制御アプリケーションは前記ユーザ好みデータを修正する一つ以上のユーザインタフェースを有し、前記照明制御アプリケーションは、修正されたユーザ好みデータを有するユーザ特定データを受信し、前記照明制御アプリケーションは、前記ユーザ特定データを示す第１の信号を送信し、前記プロセッサは、第１の信号を受信し、前記ユーザ特定データを取り出し、前記ユーザ特定データを使用して前記メモリ内の前記ユーザ好みデータを更新し、前記選択されたインタラクティビティレベルが制御可能な照明ネットワークへの送信のためにどのユーザ好みデータを承認するかをチェックし、選択されたインタラクティビティレベルにより前記制御可能な照明ネットワークへの送信のために承認された前記ユーザ好みデータを示す信号を生成する、請求項８に記載のシステム。
【請求項１１】
前記照明制御アプリケーションは、更に、前記制御可能な照明ネットワークと関連した一つ以上の照明器具を制御するための一つ以上のユーザインタフェースを更に有し、一つ以上の照明器具を示すデータと、前記一つ以上の照明器具と関連した一つ以上の好ましい照明設定とを有するユーザ特定データを受信し、前記プロセッサは、第１の信号を受信し、前記ユーザ特定データを取り出し、前記選択されたインタラクティビティレベルがユーザによる照明器具設定の変更を承認するかどうかをチェックし、照明器具設定の変更が前記選択されたインタラクティビティレベルにより承認された場合、前記制御可能な照明ネットワークへの送信のために前記ユーザ特定データを示す信号を生成する、請求項１０に記載のシステム。
【請求項１２】
前記ユーザ好みデータが既知の制御可能な照明ネットワークのセットを有し、前記制御可能な照明ネットワークを検出する前記存在検出システムが、前記既知の制御可能な照明ネットワークのセットの中の制御可能な照明ネットワークを識別する、請求項１０に記載のシステム。
【請求項１３】
ユーザと関連するユーザ位置データを決定し、前記ユーザ位置データを示す第１の信号を送信する位置決めシステムと、ユーザと関連するユーザ識別子を決定し、前記ユーザ識別子を示す第２の信号を送信する識別システムと、前記ユーザ識別子をユーザ好みデータと関連させるメモリと、第１の信号を受信し、前記ユーザ位置データを取り出し、第２の信号を受信し、前記ユーザ識別子を取り出し、前記メモリから前記ユーザ識別子と関連した前記ユーザ好みデータを取り出し、選択されたインタラクティビティレベルが制御可能な照明ネットワークへの送信のためにどのユーザ好みデータを承認するかをチェックし、前記選択されたインタラクティビティレベルにより前記制御可能な照明ネットワークへの送信のために承認された前記ユーザ好みデータを示す信号を生成するプロセッサとを有し、
前記選択されたインタラクティビティレベルは、前記ユーザ識別子及び前記ユーザ好みデータへの承認されるアクセスのレベルを特定する、システム。
【請求項１４】
前記位置決めシステムと通信するためのユーザ付近の個人移動電子通信装置を更に有し、前記位置決めシステムが前記個人移動電子通信装置と関連した位置関連データを決定し、前記位置決めシステムが、前記個人移動電子通信装置と関連した前記位置関連データに基づいてユーザと関連した前記ユーザ位置データを決定する、請求項１３に記載のシステム。
【請求項１５】
前記ユーザ識別子及び前記ユーザ好みデータへの前記制御可能な照明ネットワークのアクセスを否定するオフレベルと、前記ユーザ識別子への前記制御可能な照明ネットワークのアクセスを認め、前記ユーザ好みデータへの前記制御可能な照明ネットワークのアクセスを否定し、前記制御可能な照明ネットワークがユーザの存在に基づいて照明を制御しないことを示す無視レベルと、前記ユーザ識別子及び前記ユーザ好みデータ両方への前記制御可能な照明ネットワークのアクセスを認め、前記制御可能な照明ネットワークがユーザと関連した前記ユーザ好みデータに基づいてユーザの付近の照明を制御すべきであることを示すパーソナルレベルと、前記ユーザ識別子及び前記ユーザ好みデータ両方への前記制御可能な照明ネットワークのアクセスを認め、前記制御可能な照明ネットワークがユーザと関連した前記ユーザ好みデータに基づいて前記制御可能な照明ネットワークと関連した領域内の照明を制御すべきであることを示す報知レベルと、前記ユーザ識別子及び前記ユーザ好みデータ両方への前記制御可能な照明ネットワークのアクセスを認め、ユーザが前記制御可能な照明ネットワークと関連した領域内の照明を制御してもよいことを示し、ユーザが一つ以上のユーザ好みデータを変えることを付加的に示す調整レベルとから成るグループから、前記選択されたインタラクティビティレベルが選択される、請求項１３に記載のシステム。
【請求項１６】
制御可能な照明ネットワークとのインタラクションを管理する方法であって、個人移動電子通信装置上にユーザ好みデータの選択を提示するステップと、前記ユーザ好みデータの提示された選択と関連する修正されたユーザ好みデータを受信するステップと、プロセッサへ前記修正されたユーザ好みデータを送信するステップと、前記プロセッサが、制御可能な照明ネットワークへの前記修正されたユーザ好みデータを送信するための承認のためにメモリをチェックするステップと、前記制御可能な照明ネットワークへの前記修正されたユーザ好みデータを送信する承認が存在する場合、前記制御可能な照明ネットワークへの前記修正されたユーザ好みデータを送信するステップとを有し、
前記メモリは、選択されたインタラクティビティレベルを有する前記ユーザ好みデータとユーザ識別子を関連付けるメモリであって、
前記選択されたインタラクティビティレベルは、前記ユーザ識別子及び前記ユーザ好みデータへの承認されるアクセスのレベルを特定する、方法。
【発明の詳細な説明】
【技術分野】
【０００１】
本発明は、一般に、制御可能な照明ネットワークとのインタラクションを管理するためのシステム及び方法に関する。より詳しくは、本発明は、制御可能な照明ネットワークとのインタラクティブの好適なレベルを決定し、ユーザ情報へのネットワークのアクセス上の制御を実行し、ユーザの存在に対するネットワークの反応上の制御を実行し、ネットワークへユーザの好みの変更を通信するためのシステム及び方法に向けられている。
【背景技術】
【０００２】
デジタル照明技術、すなわち発光ダイオード（ＬＥＤ）のような半導体光源に基づく照明は、今日、従来の蛍光灯、ＨＩＤランプ及び白熱灯の現実的な代替例を提供する。高エネルギー変換及び光効率、耐久性及び低コストのようなその多くの機能的な利点が結合されたＬＥＤ技術の最近の進歩は、様々な照明効果を可能にする、効率的且つ頑強なフルスペクトル光源の発現に至った。例えば、参照により本願に組み込まれる米国特許第６，０１６，０３８号及び第６，２１１，６２６号に説明されているように、これらの光源を具現化している器具は、様々な色及び色変更照明効果を生成するためにＬＥＤの出力を独立して制御するためのプロセッサだけでなく、異なる色、例えば赤、緑及び青を生成できる一つ以上のＬＥＤを含む。
【０００３】
制御可能な照明ネットワーク及びシステムは、一つ以上のスペースの照明を制御するためにデジタル技術を利用する照明管理システムを含む。制御可能な照明ネットワーク及びシステムは、スペース内で検出された又はさもなければスペースに関連した各個人の個人照明好みに基づいて、スペース内の照明器具を制御する。多くの制御可能な照明ネットワーク及びシステムは、それらの影響下でスペースについての情報を受信するためのセンサシステムを利用する。斯様な情報は、個人と関連した個人照明好みだけでなくスペース内で検出される個人のアイデンティティを含む。
【０００４】
制御可能な照明ネットワーク及びシステムは、ユーザの照明好みのようなユーザ好みデータにアクセスし、個々の好みを反映するためにスペース内の照明を制御する。あるユーザは斯様なシステムが個人データへの無制限のアクセスを許容したい一方、他の人は制御可能な照明ネットワークに利用できる個人情報の種類について、ある程度の制御を行使することを欲している。更に他の人は、彼らの個人データへのアクセスを持つにもかかわらず、斯様なシステムが彼らの存在に反応することを単に妨げたいと欲する。例えば、警備員は、ビルディングをパトロールするとき、侵入者への警告を回避するために、制御可能な照明システムが彼又は彼女の存在に反応するのを防止したい。その上、ユーザは、他のシステムへのアクセスを制限しながら、特定の制御可能な照明システムが個人情報へアクセスすることを認可したい。同様に、ユーザは、制御可能な照明ネットワーク及びシステムが、一日の特定の時間にユーザの存在に反応し、他の全ての時間でユーザの存在に反応しないことを望んでいる。
【０００５】
現在、個人照明好み情報のような個人情報への制御可能な照明システムのアクセス上の制御をユーザが行使する便利な手段が存在しない。その上、現在、ユーザの存在に対するシステムの反応上の制御をユーザが行使する便利な手段が存在しない。また、制御可能な照明システムにより制御される領域内にユーザがいる間、制御可能な照明システムの反応にインタラクティブに斯様なユーザが影響させる便利な手段が存在しない。例えば、部屋に入って来るユーザは、彼又は彼女の好みに基づいて部屋内の照明を制御する責任がある制御可能な照明システムに彼又は彼女の照明好みの変更を伝える便利な手段を持たない。しかしながら、照明好み情報を動的に変更し、斯様な変更を制御可能な照明システムにタイムリーに警告するこの能力は、ユーザの照明好みを更新するために、前に利用できなかった情報をユーザが組み込み可能にするので、重要である。例えば、部屋内に物理的に存在するユーザは、どれくらいの付加的な人工光をユーザが好むかを決定するために、部屋内の自然光の量のような付加的情報を使用する利点を持つ。
【発明の概要】
【発明が解決しようとする課題】
【０００６】
結果として、制御可能な照明ネットワーク及びシステムとのインタラクションを管理するためのシステム及び方法のための技術的ニーズが存在する。より詳しくは、制御可能な照明ネットワーク及びシステムとのインタラクティブの好適なレベルを決定し、ユーザ情報へのシステムのアクセス上の制御を行使し、ユーザの存在に対するシステムの反応上の制御を行使し、斯様なシステムへユーザ好みの変更を通信するためのシステム及び装置に対する技術的ニーズが存在する。
【課題を解決するための手段】
【０００７】
本願の出願人は、制御可能な照明ネットワーク及びシステムとのインタラクションを管理する方法及びシステムが不足しているにもかかわらず、制御可能な照明システムのユーザは、（１）ユーザの個人照明好みデータのようなユーザの個人情報への制御可能な照明システムのアクセス上の制御を行使し、（２）ユーザの存在に対する制御可能な照明システムの反応上の制御を行使し、（３）制御可能な照明システムへ、個人照明好みの変更をインタラクティブに通信する能力を、今のところ持っていないと認識した。出願人は、更に、制御可能な照明システムのユーザに斯様な能力を提供することは、斯様なシステムのユーザがユーザの個人情報のプライバシーを良好に保護できるだけでなく、制御可能な照明システムがユーザのニーズに良好なサービスを提供できるだろうことを認識した。結果的に、本発明は、制御可能な照明ネットワーク及びシステムとのインタラクションを管理するためのシステム及び装置に向けられている。
【０００８】
本発明の実施例は、制御可能な照明システムとのインタラクションを管理するためのシステムを含む。例えば、様々な実施例では、制御可能な照明システムのユーザは、インタラクティブレベルを選択する。選択されたインタラクティブレベルは、制御可能な照明システム又はネットワークが、ユーザと関連した好みデータの小さなサブセットだけにアクセスすることを示す。斯様な実施例によると、ユーザの好みデータの任意のサブセットが、制御可能な照明ネットワークに利用可能となるだけであり、プロセッサがユーザの選択されたインタラクティブレベルにアクセスした後、ユーザの選択されたインタラクティブレベルが、制御可能な照明ネットワークに利用可能となるべきユーザ好みデータのサブセットを承認することを決定する。
【０００９】
本発明の多くの実施例は、移動中、ユーザが好ましいインタラクティブレベルを特定可能にする個人移動電子通信装置からの通信を受け取る。本発明の実施例によると、アプリケーションが、ユーザと関連した個人移動電子通信装置上で起動される。アプリケーションは、ユーザが制御可能な照明ネットワークとのインタラクティブの好適なレベルを特定できるように設計された一つ以上のオプションを示すためのユーザインタフェースを有する。示されたオプションの１つを選択することにより、ユーザは、様々な実施例で、制御可能な照明ネットワークに送信される多種類の個人情報上の制御を行使する。
【００１０】
本発明の多くの実施例は、また、ユーザが、制御可能な照明ネットワークに関するユーザの個人好みを変更できる個人移動電子回路通信装置からの通信を受け取る。様々な実施例によると、アプリケーションは、個人移動電子通信装置上で起動される。アプリケーションは、ユーザがユーザの照明好みデータを修正可能にするための一つ以上のユーザインタフェースを有する。様々な実施例では、斯様なアプリケーションは、制御可能な照明ネットワークと関連した一つ以上の照明器具をユーザが選択し制御可能にするためのユーザインタフェースも有する。
【００１１】
一般に、本発明の多くの実施例によると、制御可能な照明ネットワークとのインタラクションを管理するためのシステムは、メモリ及びプロセッサを含む。メモリは、選択されたインタラクティブレベルを含むユーザ好みデータとユーザ識別子を関連付ける。プロセッサは、ユーザ識別子と関連されたユーザ好みデータをメモリから取り出し、制御可能な照明ネットワークへの送信のためどのユーザ好みデータを、選択されたインタラクティビティレベルが承認するかをチェックし、選択されたインタラクティビティレベルにより、制御可能な照明ネットワークへの送信のため承認されたユーザ好みデータを示す信号を生成する。幾つかの実施例によると、システムは、更に、制御可能な照明ネットワークへ、認可されたユーザ好みデータを示す信号を送信するための通信リンクを含む。
【００１２】
本発明の多くの態様によると、選択されるインタラクティブレベルは、ユーザ識別子及びユーザ好みデータへの制御可能な照明ネットワークのアクセスを否定するオフレベルと、前記ユーザ識別子への制御可能な照明ネットワークのアクセスを認め、前記ユーザ好みデータへの制御可能な照明ネットワークのアクセスを否定し、前記制御可能な照明ネットワークがユーザの存在に基づいて照明を制御しないことを示す無視レベルと、前記ユーザ識別子及び前記ユーザ好みデータ両方への制御可能な照明ネットワークのアクセスを認め、前記制御可能な照明ネットワークがユーザと関連した前記ユーザ好みデータに基づいてユーザの付近の照明を制御すべきであることを示すパーソナルレベルと、前記ユーザ識別子及び前記ユーザ好みデータ両方への制御可能な照明ネットワークのアクセスを認め、前記制御可能な照明ネットワークがユーザと関連した前記ユーザ好みデータに基づいて前記制御可能な照明ネットワークと関連した領域内の照明を制御すべきであることを示す報知レベルと、前記ユーザ識別子及び前記ユーザ好みデータ両方への制御可能な照明ネットワークのアクセスを認め、ユーザが前記制御可能な照明ネットワークと関連した領域内の照明を制御してもよいことを示し、ユーザが一つ以上のユーザ好みデータを変えることを付加的に示す調整レベルとから成るグループから選択される。本発明の実施例は、上述のインタラクティブレベルに対する異なる識別子を使用する。
【００１３】
本発明の多くの態様によると、制御可能な照明ネットワークとのインタラクションを管理するためのシステムは、更に、ユーザと関連したユーザ位置データを決定し、ユーザ位置データを示す信号を送信する位置決めシステムを更に含む。位置決めシステムと関連したプロセッサは、ユーザ位置データを示す信号を受信し、ユーザ位置データを示す信号から前記ユーザ位置データを取り出す。プロセッサは、また、選択されたインタラクティビティレベルが、制御可能な照明ネットワークへの送信のためユーザ位置データを承認するかどうかをチェックし、選択されたインタラクティビティレベルにより承認される場合、ユーザ位置データを示す信号を生成する。本発明の多くの態様によると、位置決めシステムは、三角測量、加速度計技術、ＧＰＳ技術及び先進ＧＰＳ技術を有する技術を使用して、ユーザ位置データを決定する。
【００１４】
本発明の多くの態様によると、制御可能な照明ネットワークとのインタラクションを管理するためのシステムは、更に、ユーザ付近の個人移動電子通信装置からの情報を受信する。斯様な態様によると、位置決めシステムは、個人移動電子通信装置と関連した位置関連データを決定し、個人移動電子通信装置と関連した位置関連データを使用して、ユーザと関連した位置データを決定する。
【００１５】
本発明の多くの態様によると、制御可能な照明ネットワークとのインタラクションを管理するためのシステムは、更に、制御可能な照明ネットワークを検出する存在検出システムを含む。本発明の幾つかの態様によると、存在検出システムが制御可能な照明ネットワークを検出すると、照明制御アプリケーションが個人移動電子通信装置上で起動される。照明制御アプリケーションは、ユーザ好みデータを修正するための一つ以上のユーザインタフェースを有し、照明制御アプリケーションは、修正されたユーザ好みデータを有するユーザ特定データを受信する。照明制御アプリケーションは、その後、ユーザ特定データを示す第１の信号を送信する。本発明の多くの態様によると、プロセッサは、第１の信号を受信し、ユーザ特定データを取り出し、ユーザ特定データを使用してメモリ内のユーザ好みデータを更新し、選択されたインタラクティビティレベルが制御可能な照明ネットワークへの送信のためにどのユーザ好みデータを承認するかをチェックし、選択されたインタラクティビティレベルにより制御可能な照明ネットワークへの送信のために承認されたユーザ好みデータを示す信号を生成する。
【００１６】
本発明の多くの態様によると、照明制御アプリケーションは、更に、制御可能な照明ネットワークと関連した一つ以上の照明器具を制御するための一つ以上のユーザインタフェースを含む。照明制御アプリケーションは、一つ以上のユーザインタフェースとのユーザインタラクションの結果として、一つ以上の照明器具を示すデータと、一つ以上の照明器具と関連した一つ以上の好ましい照明設定とを有するユーザ特定データを受信する。本発明の幾つかの態様によると、プロセッサは、第１の信号を受信し、ユーザ特定データを取り出し、選択されたインタラクティビティレベルがユーザによる照明器具設定の変更を承認するかどうかをチェックし、照明器具設定の変更が選択されたインタラクティビティレベルにより承認された場合、制御可能な照明ネットワークへの送信のためにユーザ特定データを示す信号を生成する。
【００１７】
本発明の多くの実施例によると、制御可能な照明ネットワークとのインタラクションを管理するためのシステムは、位置決めシステム、識別システム、メモリ及びプロセッサを含む。位置決めシステムは、ユーザと関連した位置データを決定し、ユーザの位置データを示す第１の信号を送信する。識別システムは、ユーザと関連するユーザ識別子を決定し、ユーザ識別子を示す第２の信号を送信する。メモリは、ユーザ識別子をユーザ好みデータと関連させる。プロセッサは、第１の信号を受信し、第１の信号からユーザの位置データを取り出す。プロセッサは、また、第２の信号を受信し、第２の信号からユーザ識別子を取り出す。その後、プロセッサは、メモリからユーザ識別子と関連したユーザ好みデータを取り出し、選択されたインタラクティビティレベルが制御可能な照明ネットワークへの送信のためにどのユーザ好みデータを承認するかをチェックし、選択されたインタラクティビティレベルにより制御可能な照明ネットワークへの送信のために承認されたユーザ好みデータを示す信号を生成する。
【００１８】
概して、本発明の様々な実施例によると、制御可能な照明ネットワークとのインタラクションを管理する方法は、個人移動電子通信装置上に好みデータの選択を提示するステップと、好みデータの提示された選択と関連する修正された好みデータを受信するステップと、プロセッサへ修正された好みデータを送信するステップと、前記プロセッサが、制御可能な照明ネットワークへの修正された好みデータを送信するための承認のためにメモリをチェックするステップと、制御可能な照明ネットワークへの修正された好みデータを送信する承認が存在する場合、制御可能な照明ネットワークへの修正された好みデータを送信するステップとを有する。
【図面の簡単な説明】
【００１９】
【図１】図１は、本発明の実施例による制御可能な照明ネットワークとのインタラクションを管理するためのシステムを例示する。
【図２】図２は、個人移動電子通信装置を含む本発明の実施例による制御可能な照明ネットワークとのインタラクションを管理するためのシステムを例示する。
【図３】図３は、個人移動電子通信装置が照明制御アプリケーションを表示可能にする本発明の実施例に従って制御可能な照明ネットワークとのインタラクションを管理するためのシステムを例示する。
【図４】図４は、個人移動電子通信装置が照明制御アプリケーションを表示可能にする本発明の実施例に従って制御可能な照明ネットワークとのインタラクションを管理するためのシステムを例示する。
【図５】図５は、位置決めシステム及び識別システムを含む本発明の実施例による制御可能な照明ネットワークとのインタラクションを管理するためのシステムを例示する。
【発明を実施するための形態】
【００２０】
図１は、本発明による制御可能な照明ネットワークとのインタラクションを管理するためのシステム１００を例示する。システム１００は、メモリ１１０及びプロセッサ１２０を含む。システム１００は、更に、制御可能な照明ネットワーク１３０を含む。メモリ１１０は、ユーザ識別子をユーザ好みデータと関連付ける。例えば、メモリ１１０は、ユーザの好みデータ１１０―２をユーザの識別子１１０―１と関連付ける。システム１００の多くの実施例によると、ユーザ好みデータ１１０―２は、関連するユーザの選択されたインタラクティブレベル１１０―３を含む。
【００２１】
メモリ１１０の実施例は、様々なタイプの記憶媒体、例えば、ＲＡＭ、ＰＲＯＭ、ＥＰＲＯＭ及びＥＥＰＲＯＭ、フロッピー（登録商標）ディスク、コンパクトディスク、光ディスク、磁気テープのような揮発性及び不揮発性コンピュータメモリを含む。幾つかの実施では、記憶媒体は、プロセッサ上で実行できる一つ以上のプログラムでコード化されている。様々な記憶媒体は、記憶媒体上に格納された一つ以上のプログラムは、ここで説明される様々な本発明の態様を実行するためにプロセッサにロードできるように移動可能である。用語「プログラム」又は「コンピュータプログラム」は、一つ以上のプロセッサ上で実行できる任意のタイプのコンピュータコード（例えばソフトウェア又はマイクロコード）を指すために、ここでは用いられる。
【００２２】
制御可能な照明ネットワーク１３０の実施例は、一つ以上のスペースの照明を知的に制御するためにデジタル技術を利用する照明管理システムを含む。例えば、スペース内で検出された個人と関連した又はスペースと関連した照明の好みに基づいてスペース内の複数の照明器具を制御する適切な照明ネットワークは、「Intelligent  Controllable  Lighting  Networks  and  Schemata  Therefor」という名称で、参照により本願に組み込まれる２００９年６月２９日に出願された同時係属国際出願番号ＰＣＴ／ＩＢ２００９／０５２８１１に開示されている。
【００２３】
ユーザ好みデータ１１０―２は、限定されるものではないが、ユーザの照明好みに関する任意のデータを含んでもよい。例えば、ユーザ好みデータは、関連するユーザがどのように明るく作業スペースが照明されるのを好むかを示すデータを含む。ユーザ好みデータは、選択されたインタラクティブレベル１１０―３も含む。選択されたインタラクティブレベル１１０―３は、制御可能な照明ネットワーク１３０の影響下、領域内のユーザの存在に対して、制御可能な照明ネットワーク１３０の反応を制御するために用いられるインタラクティブレベルである。選択されたインタラクティブレベル１１０―３は、制御可能な照明ネットワーク１３０へのユーザ好みデータ１１０―２のような、ユーザ関係のデータの送信を制御するためにも用いられる。
【００２４】
プロセッサ１２０は、リンク１０２を介して、メモリ１１０からユーザ識別子１１０―１と関連したユーザ好みデータ１１０―２を取り出し、ユーザ好みデータ１１０―２に含まれるどのユーザ好みデータが、選択されたインタラクティブレベル１１０―３により制御可能な照明ネットワーク１３０への送信のために承認されるかを決定する。プロセッサ１２０は、制御可能な照明ネットワーク１３０への送信のために選択されたインタラクティブレベル１１０―３により承認されるユーザ好みデータを示す信号も生成する。システム１００の多くの実施例は、制御可能な照明ネットワーク１３０へ、認可されたユーザ好みデータを示す信号を通信するためのリンク１０１を付加的に有する。
【００２５】
本明細書で使用される用語「リンク」は、少なくとも２つの構成要素間の情報の通信を可能にする任意の接続を指す。例えば、リンクは、有線通信接続、無線通信接続、無線周波数通信接続及び光通信接続を含む。
【００２６】
本明細書で用いられる用語「プロセッサ」は、情報を操作できるコンピュータのＣＰＵのような演算及び論理命令を処理する任意の回路を指す。プロセッサ１２０の実施例は、限定はされないが、従来のマイクロプロセッサ、ＡＳＩＣ及びＦＰＧＡを含む。
【００２７】
システム１００の多くの実施例によると、ユーザ識別子１１０―１と関連したユーザは、ユーザ識別子１１０−１及びユーザ好みデータ１１０−２への制御可能な照明ネットワーク１３０のアクセスを否定するオフレベルと、ユーザ識別子１１０−１への制御可能な照明ネットワーク１３０のアクセスを認め、ユーザ好みデータ１１０−２への制御可能な照明ネットワーク１３０のアクセスを否定し、制御可能な照明ネットワーク１３０がユーザ識別子１１０−１と関連したユーザの存在に基づいて照明を制御しないことを示す無視レベルと、ユーザ識別子１１０−１及びユーザ好みデータ１１０−２両方への制御可能な照明ネットワーク１３０のアクセスを認め、制御可能な照明ネットワーク１３０がユーザ好みデータ１１０−２に基づいてユーザ識別子１１０−１と関連したユーザの付近の照明を制御すべきであることを示すパーソナルレベルと、ユーザ識別子１１０−１及びユーザ好みデータ１１０−２両方への制御可能な照明ネットワーク１３０のアクセスを認め、制御可能な照明ネットワーク１３０がユーザ好みデータ１１０−２に基づいて制御可能な照明ネットワーク１３０と関連した領域内の照明を制御すべきであることを示す報知レベルと、ユーザ識別子１１０−１及びユーザ好みデータ１１０−２両方への制御可能な照明ネットワーク１３０のアクセスを認め、ユーザ識別子１１０−１と関連したユーザが制御可能な照明ネットワーク１３０と関連した領域内の照明を制御してもよいことを示し、ユーザ識別子１１０−１と関連したユーザがユーザ好みデータ１１０−２を変えてもよいことを付加的に示す調整レベルとから成るグループからインタラクティブレベル１１０―３を選択する。ユーザは、アプリケーションにより示されるユーザインタフェースを使用して、インタラクティブレベルを選択する。ユーザインタフェースは、テキストで、グラフィックで、スピーチベースで、又は他の任意のモダリティに基づいている。ユーザインタフェースは、ユーザにより携帯されるＢＬＡＣＫＢＥＲＲＹ装置又はＩＰＨＯＮＥ装置のような個人移動電子通信装置に表示される。
【００２８】
システム１００の幾つかの実施例は、ユーザ識別子１１０―１と関連するユーザに関連したユーザ位置データを決定し、ユーザ位置データを示す信号を送信するための位置決めシステム１４０を更に含む。位置決めシステムは、本明細書で説明される様々な機能を実施するための（例えば専用ハードウェア、ソフトウェア又はハードウェア及びソフトウェアの組合せのような）多くのやり方で実行される。位置決めシステムは、プロセッサを使用して又は使用することなく実行され、また幾つかの機能を実施する専用ハードウェアと他の機能を実施するプロセッサ（例えば、一つ以上のプログラムされたマイクロプロセッサ及び付随回路）との組合せとして実行されてもよい。位置決めシステムは、また、特定機能を実施し、位置決めシステム内で内部的に情報を通信するだけでなく外部の構成要素と情報を通信するために設計された複数のモジュールを使用して実行されてもよい。
【００２９】
システム１００の様々な実施例によると、位置決めシステム１４０は、三角測量、加速度計技術、ＧＰＳ技術及び先進ＧＰＳ技術を有する技術を使用して、ユーザ位置データを決定する。三角測量を使用してユーザ位置データを決定することは、一つ以上の信号到達時間を比較するだけでなく、一つ以上の信号強度を比較することを含む。
【００３０】
様々な実施例によると、プロセッサ１２０は、位置決めシステム１４０からユーザ位置データを示す信号を受信し、前記信号からユーザ位置データを得て、選択されたインタラクティブレベル１１０―３が制御可能な照明ネットワーク１３０へのユーザ位置データの送信を承認するかどうかをチェックする。プロセッサ１２０は、また、ユーザ位置データが、選択されたインタラクティブレベル１１０―３により、制御可能な照明ネットワーク１３０への送信のために承認される場合、ユーザ位置データを示す信号を生成する。
【００３１】
システム１００の様々な実施例では、位置決めシステム１４０は、ユーザ識別子１１０―１と関連するユーザと関連した注視方向を更に決定する。位置決めシステムは、方向センサを有する技術及びユーザ識別子１１０―１と関連するユーザの瞳を追跡する技術を利用することにより、注視方向を決定する。位置決めシステムは、また、注視方向を示す信号を送信する。斯様な実施例によると、プロセッサ１２０は、注視方向を示す信号を受信し、前記信号から注視方向を取り出し、選択されたインタラクティブレベル１１０―３が、制御可能な照明ネットワーク１３０への注視方向の送信を承認するかどうかをチェックする。プロセッサ１２０は、また、選択されたインタラクティブレベル１１０―３により承認される場合、注視方向を示す信号を生成する。
【００３２】
図２は、本発明の実施例による制御可能な照明ネットワークとのインタラクションを管理するためのシステム２００を例示する。システム２００は、プロセッサ２４０及びメモリ２５０に加えて、位置決めシステム２２０及び識別システム２３０を含む。本発明の実施例は、位置決めシステム２２０を含むが、識別システム２３０を含めなくてもよい。位置決めシステム２２０及び識別システム２３０は、個人移動電子通信装置２１０とインタラクティブする。システム１００の様に、システム２００は、追加的に、制御可能な照明ネットワーク２６０を有する。制御可能な照明ネットワーク２６０は、図１の制御可能な照明ネットワーク１３０に関して説明されている任意のタイプの制御可能な照明ネットワークである。
【００３３】
識別システム２３０は、本明細書で説明される様々な機能を実施する（例えば専用ハードウェア、ソフトウェア又はハードウェア及びソフトウェアの組合せのような）多くのやり方で実行される。識別システムは、プロセッサを使用して又は使用することなく実行され、また幾つかの機能を実施する専用ハードウェアと他の機能を実施するプロセッサ（例えば、一つ以上のプログラムされたマイクロプロセッサ及び付随回路）との組合せとして実行されてもよい。識別システムは、また、特定機能を実施し、識別システム内で内部的に情報を通信するだけでなく外部の構成要素と情報を通信するために設計された複数のモジュールを使用して実行されてもよい。
【００３４】
識別システム２３０は、ユーザと関連するユーザ識別子を決定し、ユーザと関連する選択されたインタラクティブレベルを決定し、ユーザ識別子を示す信号を送信する。識別システムは、ユーザと関連した選択されたインタラクティブレベルを示す他の信号も送信する。システム２００の様々な実施例によると、識別システムは、ユーザの固有の特徴を認識し、固有の特徴と関連したユーザ識別子のため第２のメモリをチェックする技術を利用することにより、ユーザと関連したユーザ識別子を決定する。ユーザの固有の特徴は、指紋又は顔に関する特徴を含む。
【００３５】
プロセッサ２４０は、ユーザ識別子を示す信号を受信し、前記信号からユーザ識別子を取り出す。プロセッサは、また、選択されたインタラクティブレベルを示す信号を受信し、前記信号から、選択されたインタラクティブレベルを取り出す。プロセッサ２４０は、加えて、取り出された選択されたインタラクティブレベルを使用して、取り出されたユーザ識別子と関連する選択されたインタラクティブレベルをメモリ２５０内で更新する。プロセッサ２４０は、図１のプロセッサ１２０に関して説明された任意のタイプのプロセッサである。メモリ２５０は、図１のメモリ１１０に関して説明された任意のタイプのメモリである。
【００３６】
システム２００の多くの実施例による個人移動電子通信装置（個人装置）２１０は、位置決めシステム２２０及び識別システム２３０と信号通信している。個人装置の例示的実施例は、携帯電話、ＳＭＳ装置、ＰＤＡ、ＢＬＡＣＫＢＥＲＲＹ装置、ＩＰＨＯＮＥ装置及びプログラム可能なＲＦＩＤタグを含む装置を含む。システム２００の幾つかの実施例では、個人装置２１０は、プロセッサ２４０を含む。
【００３７】
幾つかの実施例では、位置決めシステム２２０は、個人移動電子回路通信装置２１０の位置を示す情報を送信する前記個人装置の結果として、前記個人装置と関連した位置関係データを決定する。位置決めシステム２２０は、個人移動電子回路通信装置２１０と関連した位置関係データに基づいて、ユーザの位置を示すデータを決定する。その上、位置決めシステムは、例えば、一つ以上のＷｉ―Ｆｉアクセスポイントを周期的にポーリングし、一つ以上のＷｉ―Ｆｉアクセスポイントに対応する一つ以上のアイデンティティを示すデータを受信し、一つ以上の受信したアイデンティティを一つ以上の信号強度と関連させるデータを受信し、ユーザの位置を示すデータを決定するために一つ以上のＷｉ―Ｆｉアクセスポイントの各々に対応する信号強度を使用することにより、ユーザの位置を示すデータを決定する。システム２００の幾つかの実施例では、個人装置２１０は、位置決めシステム２２０を含む。例えば、個人装置２１０は、位置決めシステム２２０の一部である一つ以上のモジュールをプロセッサで実行する。位置決めシステム２２０は、システム１００に関して前に説明された位置決めシステムの任意のタイプである。
【００３８】
図３は、本発明の実施例による制御可能な照明ネットワークとのインタラクションを管理するためのシステム３００を例示する。システム３００は、ユーザ、プロセッサ３３０及びメモリ３４０に関連した個人移動電子通信装置（個人装置、移動装置）３１０を含む。システム３００は、制御可能な照明ネットワーク３２０も含む。メモリ３４０は、選択されたインタラクティブレベル３４０―２及び他のデータのようなユーザ好みデータ３４０―１を含む。個人装置３１０は、図２の個人装置２１０に関して説明された個人移動電子回路通信装置の任意のタイプである。プロセッサ３３０は、図１のプロセッサ１２０に関して説明されたプロセッサの任意のタイプである。メモリ３４０は、図１のメモリ１１０に関して説明されたメモリの任意のタイプである。同様に、制御可能な照明ネットワーク３２０は、図１の制御可能な照明ネットワーク１３０に関して説明された制御可能な照明ネットワークの任意のタイプである。
【００３９】
システム３００の多くの実施例では、照明制御アプリケーションは、個人装置３１０で起動される。照明制御アプリケーションは、照明制御アプリケーションの一部であるコンピュータコードを実行するプロセッサにより起動される。コンピュータコードを実行するプロセッサは、個人装置３１０の一部であってもよいし、一部でなくてもよい。照明制御アプリケーションは、個人装置３１０近くで制御可能な照明ネットワーク３２０を存在検出システムが検出すると、個人装置３１０で起動される。存在検出システムは、例えば、様々な制御可能な照明ネットワークを地理的な位置と関連付けるデータベース又は他のメモリを周期的に点検することにより、個人装置近くで制御可能な照明ネットワーク３２０を検出する。システム３００の幾つかの実施例では、ユーザ好みデータ３４０―１は、ユーザ好みデータ３４０―１と関連したユーザにより既知であるか又は信頼される一組の制御可能な照明ネットワークを有する。存在検出システムは、ユーザ好みデータ３４０―１により参照される既知又は信頼された制御可能な照明ネットワークのセットの制御可能な照明ネットワーク３２０を追加的に識別することにより、個人装置３１０近くで制御可能な照明ネットワーク３２０を検出する。個人装置３１０は、システム３００の幾つかの実施例では、存在検出システムを有する。
【００４０】
システム３００の実施例に関して上述された存在検出システムは、本明細書で説明される様々な機能を実施する（例えば専用ハードウェア、ソフトウェア又はハードウェア及びソフトウェアの組合せのような）多くのやり方で実行される。存在検出システムは、プロセッサを使用して又は使用することなく実行され、また幾つかの機能を実施する専用ハードウェアと他の機能を実施するプロセッサ（例えば、一つ以上のプログラムされたマイクロプロセッサ及び付随回路）との組合せとして実行されてもよい。存在検出システムは、また、特定機能を実施し、存在検出システム内で内部的に情報を通信するだけでなく外部の構成要素と情報を通信するために設計された複数のモジュールを使用して実行されてもよい。
【００４１】
照明制御アプリケーションは、図３に図示されているように、ユーザがユーザの選択したインタラクティブレベル及びユーザの照明好みのようなユーザ好みデータを修正可能とするユーザインタフェースを含む。照明制御アプリケーションは、ユーザインタフェースとのユーザのインタラクションの結果として、修正されたユーザ好みデータを有するユーザ特定されたデータを受信する。それに応じて、照明制御アプリケーションは、リンク３０１を介して、ユーザ特定されたデータを示す第１の信号を送信する。プロセッサ３３０は、リンク３０１を介して第１の信号を受信し、ユーザ特定されたデータを取り出し、リンク３０２を介してメモリ３４０のユーザ好みデータ３４０―１を更新する。プロセッサ３３０は、取り出されたユーザ特定されたデータ内に含まれる修正されたユーザ好みデータを用いて、メモリ３４０のユーザ好みデータ３４０―１を更新する。プロセッサは、その後、ユーザ好みデータ３４０―１のどれが、選択されたインタラクティブレベル３４０―２により、制御可能な照明ネットワーク３２０への送信のために承認されるかをチェックする。プロセッサ３３０は、また、制御可能な照明ネットワーク３２０への送信のために承認されるユーザ好みデータを示す信号を、斯様な送信のために生成する。
【００４２】
「照明制御アプリケーション」という用語は、一つ以上の制御可能な照明ネットワークと関連した照明器具の制御に関する一つ以上のソフトウェアプログラムを概して指す。照明制御アプリケーションは、限定されないが、プロセッサ３３０又は個人装置３１０内の任意のプロセッサを含む一つ以上のプロセッサで実行される。
【００４３】
「照明器具」という用語が、特定の形式要因、アセンブリ又はパッケージの一つ以上の照明ユニットの実施態様又は装置を指すように本明細書において用いられる。用語「照明ユニット」が、同じか又は異なるタイプの一つ以上の光源を含む装置を指すように本明細書において用いられる。所与の照明ユニットは、光源に対する取り付け装置、エンクロージャ／ハウジング装置及び形状、並びに／又は電気的及び機械的接続構成について様々なものの任意の一つを持ってもよい。加えて、所与の照明ユニットは、光源の動作に関係するさまざまな他の部品（例えば、制御回路）とオプションで関係している（例えば、含む、結合する、及び／又は一緒にパックされる）。「ＬＥＤベースの照明ユニット」は、単独で、又は他のＬＥＤベースではない光源と結合して、上記のような一つ以上のＬＥＤベースの光源を含む照明ユニットを指す。
【００４４】
用語「光源」は、限定はされないが、ＬＥＤベースの源、白熱源（例えば、フィラメントランプ、ハロゲンランプ）、蛍光源、燐光源、高輝度放電源（例えば、ナトリウム蒸気、水銀蒸気及び金属ハロゲンランプ）、レーザー、エレクトロルミネッセンス源の他のタイプ、焦電発光源（例えば、フレーム）、キャンドル発光源（例えば、ガスマントル、カーボンアーク放射線源）、フォトルミネッセンス源（例えば、ガス放電源）、電子飽和を使用するカソード発光源、ガルバーノ発光源、結晶発光源、運動による発光源、熱的発光源、摩擦発光源、音発光源、放射線発光源、及び発光ポリマーを含む様々な放射線源の任意の一つ以上を指すと理解されるべきである。
【００４５】
本開示のため本明細書において使われるように、「ＬＥＤ」という用語は、電気信号に応じて放射線を生成できる任意の電子発光ダイオード又は他のタイプのキャリア注入／接合ベースのシステムを含むと理解されるべきである。したがって、用語ＬＥＤは、限定されるものではないが、電流に応答して光を放射するさまざまな半導体ベースの構造体、光放射ポリマー、有機発光ダイオード（ＯＬＥＤ）、電子発光細片などを含む。特に、用語ＬＥＤは、赤外線スペクトル、紫外線スペクトル及び可視スペクトル（一般に、ほぼ４００ナノメートルからほぼ７００ナノメートルまでの放射線波長を含む）のさまざまな部分の一つ以上の放射線を生成するように構成されるすべてのタイプ（半導体及び有機発光ダイオードを含む）のＬＥＤを指す。ＬＥＤの幾つかの例としては、限定はされないが、様々なタイプの赤外線ＬＥＤ、紫外線ＬＥＤ、赤色ＬＥＤ、青色ＬＥＤ、緑色ＬＥＤ、黄色ＬＥＤ、琥珀色ＬＥＤ、オレンジ色ＬＥＤ及び白色ＬＥＤを含む（更に下で述べられる）。ＬＥＤは、所与のスペクトル（例えば、狭帯域幅、広帯域幅）に対するさまざまな帯域幅（例えば、最大値の半分での全幅、すなわちＦＷＨＭ）及び所与の一般的なカラー分類の範囲内の様々な主波長を持つ放射線を生成するために構成され及び／又は制御されてもよいことも理解されるべきである。
【００４６】
図４は、本発明の実施例による制御可能な照明ネットワークとのインタラクションを管理するためのシステム４００を例示する。システム４００は、個人移動電子通信装置（個人装置）４１０、プロセッサ４３０及びメモリ４４０を含む。システム４００は、制御可能な照明ネットワーク４２０も有する。メモリ４４０は、ユーザ好みデータ４４０―１を有し、次に、選択されたインタラクティブレベル４４０―２を有する。システム４００の多くの実施例によると、照明制御アプリケーションは、個人装置４１０近くで制御可能な照明ネットワーク４２０を存在検出システムが検出すると、個人装置４１０で起動される。
【００４７】
プロセッサ４３０は、図１のプロセッサ１２０に関して説明された任意のタイプのプロセッサである。メモリ４４０は、図１のメモリ１１０に関して説明された任意のタイプのメモリである。制御可能な照明ネットワーク４２０は、図１の制御可能な照明ネットワーク１３０に関して説明された任意のタイプの制御可能な照明ネットワークである。個人装置４１０は、図３の個人装置３１０に関して説明された任意のタイプの個人移動電子回路通信装置である。
【００４８】
存在検出システムは、図３に関して説明された任意のタイプの存在検出システムである。照明制御アプリケーションは、同様に、図３に関して説明された任意のタイプの照明制御アプリケーションである。個人装置４１０は、システム４００の幾つかの実施例によると、存在検出システムを有する。
【００４９】
照明制御アプリケーションは、図４に図示されるように、制御可能な照明ネットワーク４２０と関連した一つ以上の照明器具を制御するためのユーザインタフェースを含む。ユーザが、制御可能な照明ネットワーク４２０と関連した一つ以上の照明器具により供給される照明をどのように調整したいかを特定するために、ユーザは、ユーザインタフェースを利用する。一つ以上の照明器具は、図３に関して上述された照明器具の任意のタイプを有する。ユーザインタフェースとのユーザインタラクティブの結果、照明制御アプリケーションは、例えば、制御可能な照明ネットワークと関連した一つ以上の照明器具を示すデータと、一つ以上の照明器具と関連した一つ以上の好ましい照明設定を示すデータとを有するユーザ特定されたデータを受信する。それに応じて、照明制御アプリケーションは、リンク４０１を介してユーザ特定されたデータを示す第１の信号を送信する。プロセッサ４３０は、リンク４０１を介して第１の信号を受信し、ユーザ特定されたデータを取り出す。プロセッサ４３０は、また、ユーザ好みデータ４４０―１に関連した選択されたインタラクティブレベル４４０―２が、制御可能な照明ネットワーク４２０と関連した照明器具の照明設定をユーザが変えることを承認するかどうかを決定するために、リンク４０２を介して、メモリ４４０をチェックする。制御可能な照明ネットワーク４２０と関連した照明器具の照明設定の変更がユーザの選択されたインタラクティブレベル４４０―２により承認される場合、追加的に、プロセッサは、制御可能な照明ネットワーク４２０への送信のためのユーザ特定されたデータを示す信号を生成する。しかしながら、制御可能な照明ネットワーク４２０は、それ自体と関連した一つ以上の照明器具により供給される照明を調整するためのユーザの能力を制限する。例えばセキュリティ理由のために、制御可能な照明ネットワークは、ユーザが一つ以上の照明器具の照明を調整できないようにする。
【００５０】
システム４００の様々な実施例によると、個人装置４１０のユーザが照明制御アプリケーションの起動を認可した後だけ、照明制御アプリケーションが起動される。システム４００の幾つかの実施例では、ユーザは、照明制御アプリケーションを起動するためのユーザの認可が求められる前に、制御可能な照明ネットワーク４２０がユーザ近傍で検出されたと最初に通知される。このような実施例では、様々な技術が、ユーザ近傍の制御可能な照明ネットワーク４２０の検出をユーザに通知するために用いられる。例えば、個人装置４１０は、制御可能な照明ネットワーク４２０の検出を示すために、ビープ音で、振動して、又はユーザにテキスト若しくはグラフィックメッセージを提示する。
【００５１】
図５は、本発明の実施例による制御可能な照明ネットワークとのインタラクションを管理するためのシステム５００を例示する。システム５００は、位置決めシステム５１０、識別システム５２０、プロセッサ５３０、及びメモリ５４０を有する。システム５００は、センサシステム５６０及び制御可能な照明ネットワーク５７０も含む。
【００５２】
システム５００の多くの実施例では、位置決めシステム５１０は、ユーザと関連した位置データを決定し、リンク５０１を介して、位置データを示す信号を送信する。識別システム５２０は、ユーザと関連したユーザ識別子を決定し、リンク５０２を介して、ユーザ識別子を示す信号を送信する。位置決めシステム５１０は、図２の位置決めシステム２２０に関して説明された任意のタイプの位置決めシステムである。識別システム５２０は、図２の識別システム２３０に関して説明された任意のタイプの識別システムである。メモリ５４０は、ユーザ識別子をユーザ好みデータと関連付ける。メモリ５４０は、図１のメモリ１１０に関して説明された任意のタイプのメモリである。プロセッサ５３０は、図１のプロセッサ１２０に関して説明された任意のタイプのプロセッサである。同様に、制御可能な照明ネットワーク５７０は、図１の制御可能な照明ネットワーク１３０に関して説明された任意のタイプの制御可能な照明ネットワークである。センサシステム５６０は、物理的環境に関する情報を集めるために、制御可能な照明ネットワーク５７０のような制御可能な照明ネットワークにより使用される任意のシステムを含む。例えば、センサシステム５６０は、物理的スペースと関連した照明の動き及び変化を検出する動きセンサ及び光センサのようなセンサを利用する。
【００５３】
システム５００の多くの実施例によると、プロセッサ５３０は、リンク５０１を介してユーザの位置データを示す信号を受信し、前記信号からユーザの位置データを取り出す。プロセッサ５３０は、また、リンク５０２を介して、ユーザと関連したユーザ識別子を示す信号を受信し、前記信号からユーザ識別子を取り出す。プロセッサ５３０は、また、リンク５０３を介して、メモリ５４０からユーザ識別子と関連したユーザ好みデータを検索する。ユーザ識別子と関連したユーザ好みデータは、ユーザの選択したインタラクティブレベルを含む。プロセッサ５３０は、ユーザの好みデータのどれが、ユーザの選択されたインタラクティブレベルにより、制御可能な照明ネットワーク５７０への送信のために承認されるかも決定する。追加的に、プロセッサ５３０は、制御可能な照明ネットワーク５７０への送信のために承認されるユーザ好みデータを示す信号を生成する。本明細書で使用されているように、「好みデータ」という用語は、概して、図１のユーザ好みデータ１１０―２に関して説明されたデータのタイプを指す。同様に、本明細書で使用されているように、「選択されたインタラクティブレベル」という用語は、概して、図１の選択されたインタラクティブレベル１１０―３に関して説明されたデータのタイプを指す。
【００５４】
システム５００の様々な実施例によると、リンク５０５を介して、制御可能な照明ネットワーク５７０へ信号を送信する前に、センサシステム５６０は、リンク５０４を介して、承認された好みデータを示す信号を受信する。システム５００の他の実施例では、制御可能な照明ネットワーク５７０は、リンク５０６を介して、承認されたユーザ好みデータを示す信号を受信する。システム５００の幾つかの実施例によると、システム５００は、センサシステム５６０及び制御可能な照明ネットワーク５７０の一方又は両方を有する。システム５００の他の実施例によると、システム５００は、センサシステム５６０又は制御可能な照明ネットワーク５７０を有しなくてもよい。
【００５５】
システム５００の多くの実施例は、ユーザ近傍の個人移動電子通信装置を含む。個人移動電子通信装置は、図２の個人装置２１０に関して説明された任意のタイプの装置である。斯様な実施例では、位置決めシステムは、個人移動電子回路通信装置と関連した位置関係データを決定し、ユーザの位置データを決定するため斯様な位置関係データを使用する。
【００５６】
様々な本発明の実施例が本願明細書において図と共に説明されると共に、当業者は機能を実行し、並びに／又は結果及び／若しくは本願明細書において記載されている効果の一つ以上を得るための様々な他の手段及び／若しくは構造を容易に構想するが、斯様なバリエーション及び／又は変更態様の各々は本願明細書において記載されている発明の実施例の範囲内であると考えられる。さらに一般的にいえば、当業者は、本願明細書において記載されているすべてのパラメータ、寸法、物質及び構成が例示的なものであり、実際のパラメータ、寸法、物質及び／又は構成は、本発明の教示が使用される特定のアプリケーション又はアプリケーションに依存することは、容易に理解されるだろう。当業者は、本願明細書において記載されている特定の発明の実施例に対して多くの等価物を、ルーチン試験だけを使用して理解され、確認できるだろう。したがって、前述の実施例が単なる例示により表わされていて、添付の請求の範囲及びその等価物の範囲内で、発明の実施例が、特に説明されたり、クレームされたもの以外でも実践されるということは理解されるべきである。本開示の発明の実施例は、本願明細書において説明された個々の特徴、システム、物品、材料、キット及び／又は方法に向いている。加えて、斯様な特徴、システム、物品、材料、キット及び／又は方法が相互に矛盾していない場合、斯様な２つ以上の特徴、システム、物品、材料、キット及び／又は方法の何れの組合せも本開示の発明の範囲の中に含まれる。
【００５７】
本願明細書において定められ、使用されるすべての定義は、辞書定義、参照した文献での定義及び／又は定義された用語の通常の意味にわたって管理するように理解されるべきである。
【００５８】
本願明細書及び請求項において使用された不定冠詞「ａ」及び「ａｎ」は、明らかに反対が示されない限り、「少なくとも１つ」を意味すると理解されるべきである。
【００５９】
本願明細書及び請求項において使用されたフレーズ「及び／又は」は、連接された要素、すなわち、ある場合には共同して存在し、他の場合には分離的に存在する要素の「一方又は両方」を意味すると理解されるべきである。「及び／又は」でリストされた複数の要素は、同じ様式、すなわち、連接された要素の「一つ以上」と解釈されるべきである。他の要素は、特に特定されたそれらの要素と関係するにせよ又は無関係であるにせよ、「及び／又は」フレーズによって特に特定された要素以外にオプションであってもよい。したがって、非限定的な例として、「Ａ及び／又はＢ」という参照は、「を有する」ような制限のない用語と共に用いられるとき、ある実施例においては、Ａだけ（オプションで、Ｂ以外の要素を含む）を指すことができ、他の実施例においては、Ｂだけ（オプションで、Ａ以外の要素を含む）を指すことができ、更に他の実施例においては、Ａ及びＢ（オプションで、他の要素を含む）を指すことができる等である。
【００６０】
本願明細書及び請求項において使用されるように、「又は」は、上記「及び／又は」と同じ意味を持つと理解されるべきである。例えば、リストの項目を分けるとき、「又は」又は「及び／又は」は、含んでいるとして解釈されるべきであり、すなわち、少なくとも１つを含むが、多くの要素の数若しくは要素のリスト１つより多くも含み、オプションで、リストに載ってない追加の項目も含むものとして解釈されるべきである。対照的に、「一つだけ」、「正確に一つ」又は請求項で使用されるときは「から成る」のような明らかに指示した用語だけは、多くの要素又は要素のリストの正確に１つの要素を含むことを参照する。概して、本願明細書で用いられる用語「又は」は、「何れか」「の一つ」「も一つだけ」又は「の正確に一つ」のような排他性の用語が先に来るとき、排他的な択一物（すなわち「一方又は他方であって両方ではない」）を示すものとして解釈されるだけである。請求項において使用されるとき、「基本的に」「から成る」ことは、特許法の分野において用いられるような通常の意味を有する。
【００６１】
明細書及び請求項で使用されているように、一つ以上の要素のリストに関して「少なくとも一つの」フレーズは、要素のリストのうちの何れの一つ以上の要素から選択された少なくとも一つの要素を意味し、要素のリストの範囲内で特にリストされた各要素の少なくとも一つを必ずしも含む必要もなく、要素のリスト内の何れの要素の組み合わせも除外するわけでもないことは理解されるべきである。この定義はまた、「少なくとも一つの」フレーズが参照する要素のリストの範囲内で特に特定される要素以外に、特に特定された要素に関係があるかないかにかかわらず、要素がオプション的にあることを許容する。したがって、非限定的な例として、「Ａ及びＢの少なくとも一つ」（又は、同等に、「Ａ又はＢの少なくとも一つ」、又は、同等に「Ａ及び／又はＢの少なくとも一つ」）は、一方の実施例において、Ｂがない（Ｂ以外の要素をオプションで含んで）少なくとも一つのＡ、オプションで一つより多くのＡを参照し、他方の実施例において、Ａがない（Ａ以外の要素をオプションで含んで）少なくとも一つのＢ、オプションで一つより多くのＢを参照し、更に他の実施例において、少なくとも一つのＡ、オプションで一つより多くのＡ、少なくとも一つのＢ、オプションで一つより多くのＢ（オプションで他の要素を含んで）を参照する等である。
【００６２】
明らかに反対の示されない限り、複数のステップ又は行為を含むとここにクレームされた何れの方法においても、当該方法のステップ又は行為の順番は、当該方法のステップ又は行為が列挙される順番に必ずしも限られているわけではないことも理解されるべきである。また、請求項内の参照符号は、非限定的であって、請求の範囲に何ら影響を持つべきではない。
【００６３】
特許審査プロシージャセクション２１１１．０３の米国特許庁マニュアルに述べているように、明細書だけでなく、請求項において、「を有する」、「含む」、「坦持する」、「持つ」、「含有する」、「かかわる」、「保持する」、「構成される」などのような全ての移行型フレーズは、制限がない、すなわち、含まれるがこれに限定されるものではないことを意味することが理解されるべきである。移行フレーズ「からなる」及び「基本的にからなる」だけが、それぞれ限定であるか半限定移行フレーズである。
【図１】
0005883783.tif 000002
【図２】
0005883783.tif 000003
【図３】
0005883783.tif 000004
【図４】
0005883783.tif 000005
【図５】
0005883783.tif 000006